【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
撮影した写真を利用して、シールの作成及び追加画像の生成を行う写真シール作成装置であって、
写真を撮影する撮影手段と、
前記撮影手段により撮影された写真に基づく画像を含む追加画像編集画面をユーザに表示する表示手段と、
前記表示手段により表示された追加画像編集画面に対応するユーザからの指示であって、前記写真に基づく画像のトリミングに関する指示を受け付けるトリミング指示受付手段と、
前記トリミング指示受付手段により受け付けられた指示に基づいて、前記写真に基づく画像についてトリミングを行うトリミング実行手段と、
前記トリミング実行手段によるトリミング後の画像に基づき、追加画像を生成する追加画像生成手段とを備え、
前記表示手段は、前記追加画像編集画面に、トリミングを行う位置を指定する操作を受け付けるための表示を行い、
前記トリミング指示受付手段は、ユーザによる、前記トリミングを行う位置を指定する操作を受け付け、
前記トリミング実行手段は、常に所定のアスペクト比で、かつ、前記トリミング指示受付手段により受け付けられた操作に対応する位置で、前記写真に基づく画像についてトリミングを行い、
前記追加画像生成手段は、前記トリミング後の画像のアスペクト比を維持したままで、前記追加画像を生成する、写真シール作成装置。
【請求項２】
前記トリミング実行手段は、常に、トリミング後の画像が正方形になるように、前記トリミングを行う、請求項１に記載の写真シール作成装置。
【請求項３】
前記撮影手段により撮影された写真に基づいて表示用画像を生成する第１生成手段と、
前記第１生成手段により生成された表示用画像よりも大きい、前記写真に基づいた実画像を生成する第２生成手段とをさらに備え、
前記トリミング実行手段は、前記追加画像編集画面に前記表示用画像に基づく画像が表示されている状態で前記トリミング指示受付手段により受け付けられた操作に応じて、前記実画像についてトリミングを行う、請求項１又は２に記載の写真シール作成装置。
【請求項４】
前記表示手段は、
前記追加画像編集画面に、前記トリミング実行手段によるトリミングの対象となる画像に加えて、前記撮影手段により撮影された写真に基づく複数の画像を、ユーザが選択操作できるように表示し、
前記トリミング指示受付手段により前記複数の画像のうちいずれかを選択する操作が受け付けられたとき、前記トリミングの対象となる画像として表示する画像を、受け付けられた操作により選択された画像に変更する、請求項１から３のいずれかに記載の写真シール作成装置。
【請求項５】
前記撮影手段により撮影された写真に基づく画像を含む落書き編集画面をユーザに表示し、ユーザからの落書き編集操作を受け付ける落書き編集制御手段をさらに備え、
前記落書き編集画面には、前記追加画像の作成を行うために操作される作成ボタンが含まれ、
前記落書き編集制御手段は、前記落書き編集操作を受け付けている場合において、ユーザによる前記作成ボタンの操作を受け付けたとき、前記表示手段に前記追加画像編集画面を表示させ、追加画像の作成が行えるように写真シール作成装置を制御する、請求項１から４のいずれかに記載の写真シール作成装置。
【請求項６】
前記落書き編集制御手段は、前記追加画像生成手段により前記追加画像の生成が可能となっている状態と、前記追加画像生成手段により前記追加画像の生成が不可能となっている状態とで、前記作成ボタンの表示態様を切り替える、請求項５に記載の写真シール作成装置。
【請求項７】
前記落書き編集制御手段は、前記追加画像生成手段により前記追加画像が生成されている状態と、前記追加画像生成手段により前記追加画像が未生成である状態とで、前記作成ボタンの表示態様を切り替える、請求項５又は６に記載の写真シール作成装置。
【請求項８】
前記落書き編集制御手段は、前記追加画像の作成が行えるように写真シール作成装置を制御した後で、前記落書き編集操作を受け付ける状態に復帰するとき、前記追加画像の作成が行えるようにする制御を行う直前に前記落書き編集操作の対象として前記落書き編集画面に表示されていた画像を、前記落書き編集操作の対象として前記落書き編集画面に表示させる、請求項５から７のいずれかに記載の写真シール作成装置。
【請求項９】
撮影した写真を利用して、シールの作成及び追加画像の生成を行う写真シール作成装置の制御方法であって、
写真を撮影する撮影ステップと、
前記撮影ステップにより撮影された写真に基づく画像を含む追加画像編集画面をユーザに表示する表示ステップと、
前記表示ステップにより表示された追加画像編集画面に対応するユーザからの指示であって、前記写真に基づく画像のトリミングに関する指示を受け付けるトリミング指示受付ステップと、
前記トリミング指示受付ステップにより受け付けられた指示に基づいて、前記写真に基づく画像についてトリミングを行うトリミング実行ステップと、
前記トリミング実行ステップによるトリミング後の画像に基づき、追加画像を生成する追加画像生成ステップとを備え、
前記表示ステップは、前記追加画像編集画面に、トリミングを行う位置を指定する操作を受け付けるための表示を行い、
前記トリミング指示受付ステップは、ユーザによる、前記トリミングを行う位置を指定する操作を受け付け、
前記トリミング実行ステップは、常に所定のアスペクト比で、かつ、前記トリミング指示受付ステップにより受け付けられた操作に対応する位置で、前記写真に基づく画像についてトリミングを行い、
前記追加画像生成ステップは、前記トリミング後の画像のアスペクト比を維持したままで、前記追加画像を生成する、写真シール作成装置の制御方法。
【請求項１０】
撮影した写真を利用して、シールの作成及び追加画像の生成を行う写真シール作成装置の制御プログラムであって、
写真を撮影する撮影ステップと、
前記撮影ステップにより撮影された写真に基づく画像を含む追加画像編集画面をユーザに表示する表示ステップと、
前記表示ステップにより表示された追加画像編集画面に対応するユーザからの指示であって、前記写真に基づく画像のトリミングに関する指示を受け付けるトリミング指示受付ステップと、
前記トリミング指示受付ステップにより受け付けられた指示に基づいて、前記写真に基づく画像についてトリミングを行うトリミング実行ステップと、
前記トリミング実行ステップによるトリミング後の画像に基づき、追加画像を生成する追加画像生成ステップとをコンピュータに実行させ、
前記表示ステップは、前記追加画像編集画面に、トリミングを行う位置を指定する操作を受け付けるための表示を行い、
前記トリミング指示受付ステップは、ユーザによる、前記トリミングを行う位置を指定する操作を受け付け、
前記トリミング実行ステップは、常に所定のアスペクト比で、かつ、前記トリミング指示受付ステップにより受け付けられた操作に対応する位置で、前記写真に基づく画像についてトリミングを行い、
前記追加画像生成ステップは、前記トリミング後の画像のアスペクト比を維持したままで、前記追加画像を生成する、写真シール作成装置の制御プログラム。
【手続補正２】
【補正対象書類名】明細書
【補正対象項目名】００１０
【補正方法】変更
【補正の内容】
【００１０】
上記目的を達成するためこの発明のある局面に従うと、撮影した写真を利用して、シールの作成及び追加画像の生成を行う写真シール作成装置は、写真を撮影する撮影手段と、撮影手段により撮影された写真に基づく画像を含む追加画像編集画面をユーザに表示する表示手段と、表示手段により表示された追加画像編集画面に対応するユーザからの指示であって、写真に基づく画像のトリミングに関する指示を受け付けるトリミング指示受付手段と、トリミング指示受付手段により受け付けられた指示に基づいて、写真に基づく画像についてトリミングを行うトリミング実行手段と、トリミング実行手段によるトリミング後の画像に基づき、追加画像を生成する追加画像生成手段とを備え、表示手段は、追加画像編集画面に、トリミングを行う位置を指定する操作を受け付けるための表示を行い、トリミング指示受付手段は、ユーザによる、トリミングを行う位置を指定する操作を受け付け、トリミング実行手段は、常に所定のアスペクト比で、かつ、トリミング指示受付手段により受け付けられた操作に対応する位置で、写真に基づく画像についてトリミングを行い、追加画像生成手段は、トリミング後の画像のアスペクト比を維持したままで、追加画像を生成する。
好ましくは、トリミング実行手段は、常に、トリミング後の画像が正方形になるように、トリミングを行う。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１８
【補正方法】変更
【補正の内容】
【００１８】
好ましくは、落書き編集制御手段は、追加画像の作成が行えるように写真シール作成装置を制御した後で、落書き編集操作を受け付ける状態に復帰するとき、追加画像の作成が行えるようにする制御を行う直前に落書き編集操作の対象として落書き編集画面に表示されていた画像を、落書き編集操作の対象として落書き編集画面に表示させる。
【手続補正６】
【補正対象書類名】明細書
【補正対象項目名】００１９
【補正方法】変更
【補正の内容】
【００１９】
この発明の他の局面に従うと、撮影した写真を利用して、シールの作成及び追加画像の生成を行う写真シール作成装置の制御方法は、写真を撮影する撮影ステップと、撮影ステップにより撮影された写真に基づく画像を含む追加画像編集画面をユーザに表示する表示ステップと、表示ステップにより表示された追加画像編集画面に対応するユーザからの指示であって、写真に基づく画像のトリミングに関する指示を受け付けるトリミング指示受付ステップと、トリミング指示受付ステップにより受け付けられた指示に基づいて、写真に基づく画像についてトリミングを行うトリミング実行ステップと、トリミング実行ステップによるトリミング後の画像に基づき、追加画像を生成する追加画像生成ステップとを備え、表示ステップは、追加画像編集画面に、トリミングを行う位置を指定する操作を受け付けるための表示を行い、トリミング指示受付ステップは、ユーザによる、トリミングを行う位置を指定する操作を受け付け、トリミング実行ステップは、常に所定のアスペクト比で、かつ、トリミング指示受付ステップにより受け付けられた操作に対応する位置で、写真に基づく画像についてトリミングを行い、追加画像生成ステップは、トリミング後の画像のアスペクト比を維持したままで、追加画像を生成する。
【手続補正７】
【補正対象書類名】明細書
【補正対象項目名】００２０
【補正方法】変更
【補正の内容】
【００２０】
この発明のさらに他の局面に従うと、撮影した写真を利用して、シールの作成及び追加画像の生成を行う写真シール作成装置の制御プログラムは、写真を撮影する撮影ステップと、撮影ステップにより撮影された写真に基づく画像を含む追加画像編集画面をユーザに表示する表示ステップと、表示ステップにより表示された追加画像編集画面に対応するユーザからの指示であって、写真に基づく画像のトリミングに関する指示を受け付けるトリミング指示受付ステップと、トリミング指示受付ステップにより受け付けられた指示に基づいて、写真に基づく画像についてトリミングを行うトリミング実行ステップと、トリミング実行ステップによるトリミング後の画像に基づき、追加画像を生成する追加画像生成ステップとをコンピュータに実行させ、表示ステップは、追加画像編集画面に、トリミングを行う位置を指定する操作を受け付けるための表示を行い、トリミング指示受付ステップは、ユーザによる、トリミングを行う位置を指定する操作を受け付け、トリミング実行ステップは、常に所定のアスペクト比で、かつ、トリミング指示受付ステップにより受け付けられた操作に対応する位置で、写真に基づく画像についてトリミングを行い、追加画像生成ステップは、トリミング後の画像のアスペクト比を維持したままで、追加画像を生成する。